(57)【特許請求の範囲】
【請求項１】
主機関及び主機関により駆動される推進装置と、甲板上に配置された硬帆で形成される横帆を備えると共に、横帆を複数の帆部材で構成し、前記横帆の格納時には前記帆部材をスライドさせて重ね合わせて格納し、前記横帆の展開時には前記帆部材をスライドさせて展開する、硬帆で形成される横帆を備えた船舶において、
前記甲板上に垂直にマストを設けるとともに、該マストの横側に延びる、上下方向に４本の帆桁を互いに平行に設けて、該帆桁間に前記帆部材を移動可能に嵌合し、最も外側の前記帆部材を前記マスト側に移動することにより、前記帆部材の全部を前記マスト内又はマスト近傍に格納し、最も外側の前記帆部材を前記マストと反対側に移動することにより、前記帆部材の全部を展開するように構成されており、
さらに、隣接する前記帆部材の一方の前記帆部材の裏面端部に段差を設け、他方の前記帆部材の表面端部に凸状部を設けて係合部を形成し、
他方の前記帆部材を展開のために移動したときに、前記帆部材同士の相対位置の変化により、一方の前記帆部材の前記段差と他方の前記帆部材の前記凸状部とが互いに係合し、他方の前記帆部材が一方の前記帆部材を引っ張って展開し、
縮帆又は格納のために、他方の前記帆部材を逆方向に移動した場合には、前記段差と前記凸状部との係合は解除されて、前記帆部材同士が重なり合い、
この前記帆部材同士が重なり合う状態になるときに、前記係合部と同様で、かつ別の部分に形成された係合部が係合して、前記帆部材同士が重なり合った状態で、共に移動するように構成したことを特徴とする硬帆で形成される横帆を備えた船舶。
【請求項２】
主機関及び主機関により駆動される推進装置と、甲板上に配置された硬帆で形成される横帆を備えると共に、横帆を複数の帆部材で構成し、前記横帆の格納時には前記帆部材をスライドさせて重ね合わせて格納し、前記横帆の展開時には前記帆部材をスライドさせて展開する、硬帆で形成される横帆を備えた船舶において、
前記甲板上に垂直にマストを設けるとともに、該マストの横側に延びる、上下方向に４本の帆桁を互いに平行に設けて、該帆桁間に前記帆部材を移動可能に嵌合し、最も外側の前記帆部材を前記マスト側に移動することにより、前記帆部材の全部を前記マスト内又はマスト近傍に格納し、最も外側の前記帆部材を前記マストと反対側に移動することにより、前記帆部材の全部を展開するように構成されており、
さらに、前記帆桁内に設けた空間にローラを配置して、前記帆部材の上端部の膨張部を保持して、前記帆部材が前記帆桁を案内にして、前記帆桁の延びる方向に移動することを特徴とする硬帆で形成される横帆を備えた船舶。
【請求項３】
主機関及び主機関により駆動される推進装置を備えた船舶の甲板上に備えた硬帆で形成される横帆を複数の板状の帆部材で構成し、前記横帆の格納時には、前記帆部材の内の一つの移動用帆部材を一方向に移動することにより、前記帆部材を順次相互に係合させてスライドさせながら前記帆部材の全部を重ねて格納し、前記横帆の展開時には、前記移動用帆部材を前記一方向と逆方向に移動することにより、前記帆部材を順次相互に係合させてスライドさせながら前記帆部材の全部を展開する横帆の格納及び展開方法において、
前記甲板上に垂直にマストを設けるとともに、該マストの横側に延びる、上下方向に４本の帆桁を互いに平行に設けて、該帆桁間に前記帆部材を移動可能に嵌合し、最も外側の前記帆部材を前記マスト側に移動することにより、前記帆部材の全部を前記マスト内又はマスト近傍に格納し、最も外側の前記帆部材を前記マストと反対側に移動することにより、前記帆部材の全部を展開するとともに、
隣接する前記帆部材の一方の前記帆部材の裏面端部に段差を設け、他方の前記帆部材の表面端部に凸状部を設けて係合部を形成し、
他方の前記帆部材を展開のために移動したときに、前記帆部材同士の相対位置の変化により、一方の前記帆部材の前記段差と他方の前記帆部材の前記凸状部とが互いに係合し、他方の前記帆部材が一方の前記帆部材を引っ張って展開し、
縮帆又は格納のために、他方の前記帆部材を逆方向に移動した場合には、前記段差と前記凸状部との係合は解除されて、前記帆部材同士が重なり合い、
この前記帆部材同士が重なり合う状態になるときに、前記係合部と同様で、かつ別の部分に形成された係合部が係合して、前記帆部材同士が重なり合った状態で、共に移動することを特徴とする横帆の格納及び展開方法。
【請求項４】
主機関及び主機関により駆動される推進装置を備えた船舶の甲板上に備えた硬帆で形成される横帆を複数の板状の帆部材で構成し、前記横帆の格納時には、前記帆部材の内の一つの移動用帆部材を一方向に移動することにより、前記帆部材を順次相互に係合させてスライドさせながら前記帆部材の全部を重ねて格納し、前記横帆の展開時には、前記移動用帆部材を前記一方向と逆方向に移動することにより、前記帆部材を順次相互に係合させてスライドさせながら前記帆部材の全部を展開する横帆の格納及び展開方法において、
前記甲板上に垂直にマストを設けるとともに、該マストの横側に延びる、上下方向に４本の帆桁を互いに平行に設けて、該帆桁間に前記帆部材を移動可能に嵌合し、最も外側の前記帆部材を前記マスト側に移動することにより、前記帆部材の全部を前記マスト内又はマスト近傍に格納し、最も外側の前記帆部材を前記マストと反対側に移動することにより、前記帆部材の全部を展開するとともに、
前記帆桁内に設けた空間にローラを配置して、前記帆部材の上端部の膨張部を保持して、前記帆部材が前記帆桁を案内にして、前記帆桁の延びる方向に移動することを特徴とする横帆の格納及び展開方法。
【発明の詳細な説明】
【技術分野】
【０００１】
本発明は、主機関及び主機関により駆動される推進装置を備えると共に、推進補助として硬帆で形成される横帆を備えた船舶及び横帆の格納及び展開方法に関する。
【背景技術】
【０００２】
船舶が排出する二酸化炭素（ＣＯ2）の総量を削減するためには、新造船のみならず、既に存在する多数の船舶における二酸化炭素の排出量の削減が効果的である。既存船に装備可能な省エネ装置として、プロペラ周辺に装備する省エネ付加物があるが、この省エネ付加物に関しては今までにも性能改善が進んでおり、今後の劇的な性能向上は難しいと考えられている。そのため、これらの省エネ付加物に加えて、既存船にも装備可能な新たな省エネ装置の開発が重要な課題となってきている。
【０００３】
これに関連して、帆を装備した貨物船が、１９８０年代に、内航船や外航ばら積み船をはじめとして十数隻建造されており、その効果は既に実証されている。これらの帆装船は、帆の面積が比較的小さな面積であるため、この補助的な帆の省エネルギー効果は限定的ではあるが、操船、視界、構造、艤装等に大きな影響を与えずに、既存船舶への取り付けが容易にできるものであり、新たに求められる省エネルギー装置の一候補となっている。
【０００４】
この機帆走を前提とする大型商船へ装備される硬帆においては、縮帆を行う機構が重要であり、多くの提案や開発が行われており、この帆の格納の問題は、輻輳海域での視界の確保、強風下での操船、錨泊、離着桟に関する性能の向上、向かい風下での空力抵抗の低減等の面から重要な課題となっている。
【０００５】
これに関連して、硬帆集合体を、入れ子状に配置した複数段の翼断面筒体の硬帆で形成し、収納は直上段の硬帆を直下段の硬帆に入れ子状に順次収納する硬帆を備える帆走船が提案されている（例えば、特許文献１参照。）。
【０００６】
しかしながら、この硬帆を備える帆走船で用いられている入れ子状の硬帆では表側と裏側の両方に翼表面が形成されることになるため、帆の重量が増加し、これをパンタグラフ方式で展開及び格納するための油圧ジャッキや駆動装置等が大型化するという問題がある。
【先行技術文献】
【特許文献】
【０００７】
【特許文献１】特開２００９−２１４６３３号公報
【発明の概要】
【発明が解決しようとする課題】
【０００８】
本発明は、上述の状況を鑑みてなされたものであり、その目的は、主機関及び主機関により駆動される推進装置と、甲板上に配置された硬帆で形成される横帆を備えた船舶において、帆を必要としないときに縮帆及び格納できて、輻輳海域での視界の確保と、強風の下での操船、錨泊、離着桟に関する性能の向上と、向かい風の下での空力抵抗の低減を図ることができる硬帆で形成される横帆を備えた船舶及び横帆の格納及び展開方法を提供することにある。
【課題を解決するための手段】
【０００９】
上記の目的を達成するための本発明の硬帆で形成される横帆を備えた船舶は、主機関及び主機関により駆動される推進装置と、甲板上に配置された硬帆で形成される横帆を備えると共に、横帆を複数の帆部材で構成し、前記横帆の格納時には前記帆部材をスライドさせて重ね合わせて格納し、前記横帆の展開時には前記帆部材をスライドさせて展開する、硬帆で形成される横帆を備えた船舶において、前記甲板上に垂直にマストを設けるとともに、該マストの横側に延びる、上下方向に４本の帆桁を互いに平行に設けて、該帆桁間に前記帆部材を移動可能に嵌合し、最も外側の前記帆部材を前記マスト側に移動することにより、前記帆部材の全部を前記マスト内又はマスト近傍に格納し、最も外側の前記帆部材を前記マストと反対側に移動することにより、前記帆部材の全部を展開するように構成されており、さらに、隣接する前記帆部材の一方の前記帆部材の裏面端部に段差を設け、他方の前記帆部材の表面端部に凸状部を設けて係合部を形成し、他方の前記帆部材を展開のために移動したときに、前記帆部材同士の相対位置の変化により、一方の前記帆部材の前記段差と他方の前記帆部材の前記凸状部とが互いに係合し、他方の前記帆部材が一方の前記帆部材を引っ張って展開し、縮帆又は格納のために、他方の前記帆部材を逆方向に移動した場合には、前記段差と前記凸状部との係合は解除されて、前記帆部材同士が重なり合い、
この前記帆部材同士が重なり合う状態になるときに、前記係合部と同様で、かつ別の部分に形成された係合部が係合して、前記帆部材同士が重なり合った状態で、共に移動するように構成される。
あるいは、上記の目的を達成するための本発明の硬帆で形成される横帆を備えた船舶は、主機関及び主機関により駆動される推進装置と、甲板上に配置された硬帆で形成される横帆を備えると共に、横帆を複数の帆部材で構成し、前記横帆の格納時には前記帆部材をスライドさせて重ね合わせて格納し、前記横帆の展開時には前記帆部材をスライドさせて展開する、硬帆で形成される横帆を備えた船舶において、前記甲板上に垂直にマストを設けるとともに、該マストの横側に延びる、上下方向に４本の帆桁を互いに平行に設けて、該帆桁間に前記帆部材を移動可能に嵌合し、最も外側の前記帆部材を前記マスト側に移動することにより、前記帆部材の全部を前記マスト内又はマスト近傍に格納し、最も外側の前記帆部材を前記マストと反対側に移動することにより、前記帆部材の全部を展開するように構成されており、さらに、前記帆桁内に設けた空間にローラを配置して、前記帆部材の上端部の膨張部を保持して、前記帆部材が前記帆桁を案内にして、前記帆桁の延びる方向に移動するように構成される。
【００１０】
この構成によれば、帆を必要としないときに縮帆及び格納できて、輻輳海域での視界の確保と、強風下での操船、錨泊、離着桟に関する性能の向上と、向かい風下での空力抵抗の低減を図ることができる。しかも、帆部材をスライドさせて重ね合わせるので、帆部材の帆面は表面のみとなり、入れ子状の帆に比べて著しく重量を軽減できる。
【００１１】
また、この構成によれば、格納時に、甲板上にマストや帆桁が残こり、視界を横帆を設ける前に比べて遮るが、マストと帆桁という比較的単純な構成となるので、既存船に設置し易くなる。
【００１４】
そして、上記の目的を達成するための本発明の横帆の格納及び展開方法は、主機関及び主機関により駆動される推進装置を備えた船舶の甲板上に備えた硬帆で形成される横帆を複数の板状の帆部材で構成し、前記横帆の格納時には、前記帆部材の内の一つの移動用帆部材を一方向に移動することにより、前記帆部材を順次相互に係合させてスライドさせながら前記帆部材の全部を重ねて格納し、前記横帆の展開時には、前記移動用帆部材を前記一方向と逆方向に移動することにより、前記帆部材を順次相互に係合させてスライドさせながら前記帆部材の全部を展開する横帆の格納及び展開方法において、前記甲板上に垂直にマストを設けるとともに、該マストの横側に延びる、上下方向に４本の帆桁を互いに平行に設けて、該帆桁間に前記帆部材を移動可能に嵌合し、最も外側の前記帆部材を前記マスト側に移動することにより、前記帆部材の全部を前記マスト内又はマスト近傍に格納し、最も外側の前記帆部材を前記マストと反対側に移動することにより、前記帆部材の全部を展開するとともに、隣接する前記帆部材の一方の前記帆部材の裏面端部に段差を設け、他方の前記帆部材の表面端部に凸状部を設けて係合部を形成し、他方の前記帆部材を展開のために移動したときに、前記帆部材同士の相対位置の変化により、一方の前記帆部材の前記段差と他方の前記帆部材の前記凸状部とが互いに係合し、他方の前記帆部材が一方の前記帆部材を引っ張って展開し、縮帆又は格納のために、他方の前記帆部材を逆方向に移動した場合には、前記段差と前記凸状部との係合は解除されて、前記帆部材同士が重なり合い、この前記帆部材同士が重なり合う状態になるときに、前記係合部と同様で、かつ別の部分に形成された係合部が係合して、前記帆部材同士が重なり合った状態で、共に移動することを特徴とする方法である。
あるいは、上記の目的を達成するための本発明の横帆の格納及び展開方法は、主機関及び主機関により駆動される推進装置を備えた船舶の甲板上に備えた硬帆で形成される横帆を複数の板状の帆部材で構成し、前記横帆の格納時には、前記帆部材の内の一つの移動用帆部材を一方向に移動することにより、前記帆部材を順次相互に係合させてスライドさせながら前記帆部材の全部を重ねて格納し、前記横帆の展開時には、前記移動用帆部材を前記一方向と逆方向に移動することにより、前記帆部材を順次相互に係合させてスライドさせながら前記帆部材の全部を展開する横帆の格納及び展開方法において、前記甲板上に垂直にマストを設けるとともに、該マストの横側に延びる、上下方向に４本の帆桁を互いに平行に設けて、該帆桁間に前記帆部材を移動可能に嵌合し、最も外側の前記帆部材を前記マスト側に移動することにより、前記帆部材の全部を前記マスト内又はマスト近傍に格納し、最も外側の前記帆部材を前記マストと反対側に移動することにより、前記帆部材の全部を展開するとともに、前記帆桁内に設けた空間にローラを配置して、前記帆部材の上端部の膨張部を保持して、前記帆部材が前記帆桁を案内にして、前記帆桁の延びる方向に移動することを特徴とする方法である。
【００１５】
この方法によれば、帆を必要としないときに縮帆及び格納できて、輻輳海域での視界の確保と、強風の下での操船、錨泊、離着桟に関する性能の向上と、向かい風の下での空力抵抗の低減を図ることができる。
【発明の効果】
【００１６】
本発明の硬帆で形成される横帆を備えた船舶及び横帆の格納及び展開方法によれば、主機関及び主機関により駆動される推進装置と、甲板上に配置された硬帆で形成される横帆を備えた船舶において、帆を必要としないときに縮帆及び格納できて、輻輳海域での視界の確保と、強風の下での操船、錨泊、離着桟に関する性能の向上と、向かい風の下での空力抵抗の低減を図ることができる。
【図面の簡単な説明】
【００１７】
【図１】本発明に係る実施の形態の硬帆で形成される横帆を備えた船舶の構成を示す図である。
【図２】図１の横帆の展開時の状態を示す斜視図である。
【図３】図１の横帆の縮帆時の状態を示す斜視図である。
【図４】図１の横帆の格納時の状態を示す斜視図である。
【図５】図１の横帆の帆部材と帆桁との嵌合状態を示す帆桁の嵌合部の断面図である。
【図６】図１の横帆の帆部材間の係合部を示す断面図で、（ａ）は係合前を、（ｂ）は係合直前を、（ｃ）は係合後を示す図である。
【図７】参考となる横帆の展開時の状態を示す斜視図である。
【図８】図７の横帆の縮帆時の状態を示す斜視図である。
【図９】図７の横帆の格納時の状態を示す斜視図である。
【図１０】図７の横帆の展開時の状態を重なり状態を示す側断面である。
【図１１】図７の横帆の縮帆時の状態を重なり状態を示す側断面である。
【図１２】図７の横帆の展開時の状態を重なり状態を示す側断面である。
【図１３】参考となる別の横帆の展開時の状態を示す斜視図である。
【図１４】図１３の横帆の格納時の状態を示す斜視図である。
【発明を実施するための形態】
【００１８】
以下、図面を参照して本発明に係る実施の形態の硬帆で形成される横帆を備えた船舶（以下船舶という）及び横帆の格納及び展開方法について説明する。
【００１９】
本発明に係る実施の形態及び参考となる船舶は、主機関及び主機関により駆動される推進装置を備えると共に、補助推進として、例えば、図１に示すような甲板２上に配置された硬帆で形成された横帆（以下横帆という）１０を備えて構成される。
【００２０】
最初に実施の形態の船舶及び横帆の格納及び展開方法について説明する。図１〜図６に示すように、この実施の形態の船舶１に用いる横帆１０は、甲板２上に垂直にマスト（ポスト）１１を設けるとともに、このマスト１１から横側に略水平方向に延びる複数の帆桁（ヤード）１２を互いに平行に設けて、この上下の帆桁１２の間に帆部材１３を図５に示すように移動可能に嵌合して構成する。図５の構成では、帆桁１２内に設けた空間１２ｓにローラ１２ａを配置して、帆部材１３の上端部の膨張部１４を保持する。これにより、帆部材１３が帆桁１２を案内にして、帆桁１２の延びる方向に移動できるようになる。
【００２１】
更に、最も外側の帆部材１３ａをマスト１１側に移動することにより、帆部材１３をマスト１１内（又はマスト１１近傍）に格納し、最も外側の帆部材１３ａをマスト１１と反対側に移動することにより、帆部材１３を展開するように構成する。
【００２２】
この構成は、図６に示すように、一方の帆部材１３の裏面端部に段差１３ｃを設け、他方の帆部材１３の表面端部に凸状部１３ｄを設けて、下側（右側）の帆部材１３を展開のために矢印方向に移動したときに、帆部材１３、１３同士の相対位置の変化により、一方の帆部材１３の段差１３ｃと他方の帆部材１３の凸状部１３ｄとが互いに係合し、下側の帆部材１３が上側（左側）の帆部材１３を引っ張って展開することができる。
【００２３】
また、縮帆又は格納のために、逆方向に移動した場合には段差１３ｃと凸状部１３ｄとの係合は解除されて、帆部材１３、１３同士が重なり合う。そして、帆部材１３、１３同士の略全体が重なり合う状態になるときに、別の部分に形成された同様な係合部（図示しない）が係合して、帆部材１３、１３同士が重なり合った状態で、共に移動するように構成される。
【００２４】
この構成によれば、格納時に、甲板２上にマスト１１や帆桁１２が残こり、視界を横帆１０を設ける前に比べて遮るが、マスト１１と帆桁１２という比較的単純な構成となるので、既存船に設置し易くなる。
【００２５】
次に、参考となる船舶及び横帆の格納及び展開方法について説明する。図７〜図１２に示すように、この参考となる船舶に用いる横帆１０Ａは、帆部材１３Ａを上下方向に配置して構成し、最も上側の帆部材１３Ａａを下側に移動することにより、帆部材１３Ａを最も下側の帆部材１３Ａｂに重ねて格納し、最も上側の帆部材１３Ａａを上側に移動することにより、帆部材１３Ａを展開するように構成する。
【００２６】
図１０〜図１２に示す帆部材１３Ａ、１３Ａａ、１３Ａｂの場合では、横帆１０Ａの縮帆又は格納時には、最も上側の帆部材１３Ａａを下側に移動すると、順次上の帆部材１３Ａ、１３Ａａの曲げ部材１３ｂの下端裏側に設けられた曲げ部材１３ｂが下の帆部材１３Ａ、１３Ａｂの曲げ部材１３ｂを押し下げるので、順次下側に移動することになる。
【００２７】
また、横帆１０Ａの展開には、最も上側の帆部材１３Ａａを上側に移動すると、順次上の帆部材１３Ａ、１３Ａａの下端表側に設けた係合部（図示しない）と下の帆部材１３Ａ、１３Ａｂの上端裏側に設けた係合部(図示しない）とが図６に示す係合部と略同様な係合を行って、下の帆部材１３Ａを吊り上げて、順次上側に移動させる。
【００２８】
この構成によれば、横帆１０Ａの格納時に、第１の実施の形態の横帆１０のように、甲板２上にマスト１１や帆桁１２が残らないが、最も下側の帆部材１３Ａｂに重なり合うため、この大きさの視界が妨げられることになる。
【００２９】
次に、参考となる別の船舶及び横帆の格納及び展開方法について説明する。図１３〜図１４に示すように、この参考となる別の船舶に用いる横帆１０Ｂは、帆部材１３Ｂを中心１４Ｂの周囲に扇形に配置して構成し、先端側が格納部材１３Ｂｂから最も離れた帆部材１３Ｂａを格納部材１３Ｂｂ側に回転移動することにより、帆部材１３Ｂを格納部材１３Ｂｂに重ねて格納し、先端側が格納部材１３Ｂｂから最も離れた帆部材１３Ｂａを格納部材１３Ｂｂと反対側に回転移動することにより、帆部材１３Ｂを展開するように構成する。この場合は回転移動であるが、参考となる船舶に用いる横帆１０Ａの帆部材１３Ａと略同様な係合部を帆部材１３Ｂ、１３Ｂａ、１３Ｂｂの先端側に設けることで、容易に縮帆、格納及び展開をすることができるようになる。
【００３０】
この構成によれば、横帆１０の格納時に、甲板２上にマスト１１や帆桁１２が残らないが、最も下側の帆部材１３Ａｂに重なり合うため、この大きさの視界が妨げられることになる。
【００３１】
また、横帆１０の甲板２上の配置に関しては、図１に示すように、横帆１０（又は、１０Ａ、１０Ｂ）は船橋３の監視位置から一直線になるように配置して、横帆１０を展開して航走しているときに、船橋からの視界が妨げられる範囲をできるだけ小さくする。また、前方に行くに連れて高さを低くすることにより、前方の視界をできるだけ広くする。
【００３２】
上記の船舶１及び横帆の格納及び展開方法によれば、主機関及び主機関により駆動される推進装置と、甲板２上に配置された硬帆で形成される横帆１０、１０Ａ、１０Ｂを備えた船舶１において、横帆１０、１０Ａ、１０Ｂを必要としないときに縮帆及び格納できて、輻輳海域での視界の確保と、強風の下での操船、錨泊、離着桟に関する性能の向上と、向かい風の下での空力抵抗の低減を図ることができる。
【産業上の利用可能性】
【００３３】
本発明の硬帆で形成される横帆を備えた船舶及び横帆の格納及び展開方法によれば、主機関及び主機関により駆動される推進装置と、甲板上に配置された硬帆で形成される横帆を備えた船舶において、帆を必要としないときに縮帆及び格納できて、輻輳海域での視界の確保と、強風の下での操船、錨泊、離着桟に関する性能の向上と、向かい風の下での空力抵抗の低減を図ることができるので、既存の船舶を含め多くの船舶に利用することができる。
【符号の説明】
【００３４】
１  船舶
２  甲板
３  船橋
１０、１０Ａ、１０Ｂ  横帆
１１  マスト
１２  帆桁（ヤード）
１２ａ  ローラ
１２ｓ  空間
１３、１３ａ、１３Ａ、１３Ａａ、１３Ｂ、１３Ｂａ  帆部材
１３Ｂｂ  格納部材
１３ｃ  段差
１３ｄ  凸状部
１４  帆部材の上端部の膨張部
【図１】
0005865604.tif 000002
【図２】
0005865604.tif 000003
【図３】
0005865604.tif 000004
【図４】
0005865604.tif 000005
【図５】
0005865604.tif 000006
【図６】
0005865604.tif 000007
【図７】
0005865604.tif 000008
【図８】
0005865604.tif 000009
【図９】
0005865604.tif 000010
【図１０】
0005865604.tif 000011
【図１１】
0005865604.tif 000012
【図１２】
0005865604.tif 000013
【図１３】
0005865604.tif 000014
【図１４】
0005865604.tif 000015